(57)【要約】【課題】色補正パラメータの生成時と画像読み取り装置に組み込んだ状態とで画像読み取り装置毎に読み取り部の出力レベルのばらつきがある場合でも正常な色補正を行うこと。【解決手段】画像を読み取る読み取り部１０３と、読み取り部から得られた画像データを処理する画像処理部と有し、画像処理部で処理された処理データを出力する画像読み取り装置において、グレーバランス調整回路２０４は調整用原稿の出力が予め決められた値になるように色補正回路２０５の機能ＯＦＦで生成される補正係数を各色毎に有し、色補正回路２０５の補正パラメータは個体毎に生成され、前記読み取り部１０３を画像読み取り装置３０１に組み込む際、色補正回路２０５の機能をＯＦＦして前記グレーバランス調整回路２０４を再調整する。【選択図】図２
2009010924.tif 000002
【特許請求の範囲】
【請求項１】
画像読み取り装置であって、
原稿を読み取って画像データを出力する読み取り部と、
前記読み取り部から出力された画像データの画像処理を行う画像処理部と、を備え、
前記読み取り部は、
前記原稿に照射光を照射し、前記照射光の前記原稿からの反射光を入射する光学部と、
入射した前記反射光から読み取った画像信号のデジタルデータを生成する変換部と、
前記デジタルデータの出力レベルを、色ごとの補正係数に基づいて調整する調整部と、
前記画像読み取り装置毎に異なる値の色補正パラメータに基づいて、調整後の前記出力レベルのばらつきを補正する色補正処理を実行する色補正部と、を備え、
前記補正係数は、前記読み取り部を前記画像読み取り装置に組み込む前に、前記色補正処理を実行しない状態で前記原稿を読み取った際の前記出力レベルが所定の値になるように生成された後、前記読み取り部を前記画像読み取り装置に組み込んだ時点で、前記色補正処理を実行しない状態で調整されたものであることを特徴とする画像読み取り装置。
【請求項２】
前記読み取り部を前記画像読み取り装置に組み込んだ時点で、前記色補正処理を実行しない状態で前記補正係数を調整する制御部
をさらに備えたことを特徴とする請求項１に記載の画像読み取り装置。
【請求項３】
前記原稿の主走査方向における位置範囲の指定を受け付ける入力部をさらに備え、
前記制御部は、さらに、前記デジタルデータのうち前記入力部により受け付けた前記位置範囲に対する前記出力レベルの平均値を求め、前記平均値に基づいて前記補正係数を調整することを特徴とする請求項２に記載の画像読み取り装置。
【請求項４】
前記補正係数は、前記読み取り部を前記画像読み取り装置に組み込む前の生成時と、前記画像読み取り装置に前記読み取り部を組み込む時点での生成時において、前記原稿の主走査方向の同一個所を読み込むことによる前記出力レベルに基づいて生成されることを特徴とする請求項１に記載の画像読み取り装置。
【請求項５】
前記補正係数は、前記読み取り部を前記画像読み取り装置に組み込んだ時点で、前記色補正処理を実行しない状態で、前記読み取り部を前記画像読み取り装置に組み込む前に前記補正係数を生成する際に使用された原稿と同一の原稿を読み取った際の前記出力レベルが所定の値になるように調整されたものであることを特徴とする請求項１に記載の画像読み取り装置。
【請求項６】
前記光学部は、縮小光学モジュールを含むことを特徴とする請求項１に記載の画像読み取り装置。
【請求項７】
前記光学部は、密着型イメージセンサを含むことを特徴とする請求項１に記載の画像読み取り装置。
【請求項８】
画像形成装置であって、
原稿を読み取って画像データを出力する読み取り部と、
前記読み取り部から出力された画像データの画像処理を行う画像処理部と、を備え、
前記読み取り部は、
前記原稿に照射光を照射し、前記照射光の前記原稿からの反射光を入射する光学部と、
入射した前記反射光から読み取った画像信号のデジタルデータを生成する変換部と、
前記デジタルデータの出力レベルを、色ごとの補正係数に基づいて調整する調整部と、
前記画像形成装置毎に異なる値の色補正パラメータに基づいて、調整後の前記出力レベルのばらつきを補正する色補正処理を実行する色補正部と、を備え、
前記補正係数は、前記読み取り部を前記画像形成装置に組み込む前に、前記色補正処理を実行しない状態で前記原稿を読み取った際の前記出力レベルが所定の値になるように生成された後、前記読み取り部を前記画像形成装置に組み込んだ時点で、前記色補正処理を実行しない状態で調整されたものであることを特徴とする画像形成装置。
【請求項９】
原稿に照射光を照射し、前記照射光の前記原稿からの反射光を入射し、入射した前記反射光から読み取った画像信号のデジタルデータを生成し、前記デジタルデータの出力レベルを、色ごとの補正係数に基づいて調整し、前記画像読み取り装置毎に異なる値の色補正パラメータに基づいて、調整後の前記出力レベルのばらつきを補正する色補正処理を実行する読み取り部を組み込む組み込み方法であって、
前記読み取り部を前記画像読み取り装置に組み込む前に、前記色補正処理を実行しない状態で前記原稿を読み取った際の前記出力レベルが所定の値になるように前記補正係数を生成する第１生成工程と、
前記色補正パラメータを前記画像読み取り装置ごとに生成する第２生成工程と、
前記読み取り部を前記画像読み取り装置に組み込む組み込み工程と、
前記読み取り部を前記画像読み取り装置に組み込んだ時点で、前記色補正処理を実行しない状態で前記補正係数を調整する調整工程と、
を含むことを特徴とする組み込み方法。
【請求項１０】
前記調整工程は、前記第１生成工程における前記補正係数の生成時に前記原稿を読み込んだ主走査方向の箇所と同一の個所を読み込むことによる前記出力レベルに基づいて、前記補正係数を調整することを特徴とする請求項９に記載の組み込み方法。
【請求項１１】
前記調整工程は、前記第１生成工程で使用された原稿と同一の原稿を読み取った際の前記出力レベルが所定の値になるように前記補正係数を調整することを特徴とする請求項９に記載の組み込み方法。
【発明の詳細な説明】
【技術分野】
【０００１】
本発明は、原稿を読み取って画像データを生成する画像読み取り装置、及びこの画像読み取り装置を備えた画像形成装置、並びに読み取り部の画像読み取り装置への組み込み方法に関する。
【背景技術】
【０００２】
図１は、画像読み取り装置の概念的な構成を示す説明図である。図１から分かるように画像読み取り装置は、基準白板１０２と読み取り部１０３の間を原稿１０１が移動して画像を読み取るようになっている。しかし、読み取り部１０３の出力レベルは、以下の各条件によりばらついてしまう。
１．基準白板１０２の濃度
２．読み取り部１０３と基準白板１０２の距離
３．読み取り部１０３内部の各種部品の分光特性のばらつき
【０００３】
カラー原稿読み取り時の読み取り部１０３の出力レベルは、前記１，２の条件によっては、ＲＧＢ一律に出力レベルに影響が出る。その結果、画像の色相は同じでも明度が変わる場合がある。また、前記３の条件によっては、同じ色原稿を読み取った場合でもＲＧＢ値の比率が異なる場合がある。その結果、画像の色相及び明度が変わることがある。
【０００４】
前記１，２の影響を排除するためには、Ｒｅｄ／Ｇｒｅｅｎ／Ｂｌｕｅ個別に係数を有し、基準原稿を読み取った際に予め決められたＲＧＢ値となるように個別の係数を調整すればよい。上記３の影響を排除するためには、複数の色原稿を読み取ったＲＧＢ値から色補正のための色補正パラメータを生成して色補正を行えばよい。
【０００５】
一方、この種の技術として、従来から、例えば特許文献１〜３に記載された発明が知られている。このうち、特許文献１には、ＳＤＦと圧板の読み取りレベル（読み取った画像データの出力レベル）の差が小さくなるように、読み取りレベルを最適化するために、原稿から光学的に読み取った画像情報をアナログ電気信号に変換する光電変換手段と、原稿に照明光を照射し、反射光を前記光電変換手段に導く読み取り光学手段と、前記光電変換手段によって変換された前記アナログ信号をサンプリングし、ゲイン調整が可能なアナログ信号処理手段と、前記アナログ信号処理手段によって処理されたアナログ信号をデジタル信号に変換するアナログ／デジタル変換手段と、を有し、移動する原稿を固定された前記読み取り光学手段によって読み取る第１の読み取りモードと、固定された原稿を移動する読み取り光学手段によって読み取る第２の読み取りモードとが設定された画像読み取り装置において、前記第１の読み取りモードと前記第２の読み取りモードのそれぞれで、原稿を読み取った画像データの出力レベルが最適になるように前記出力レベルを補正する補正手段を備えた画像読み取り装置が開示されている。
【０００６】
また、特許文献２には、光源や色フィルタ等に起因するスキャナの分光感度のばらつき及びこれに起因する読取誤差を好適に補正し、一定の色再現を得ることを可能にするために、基準原稿を所定の測定器で測定して得られた測定値又は前記基準原稿の特性値と、前記基準原稿を画像読取装置で読み取って得られた画像信号値を解析して算出した統計量とを用いて、前記画像読取装置の分光感度特性を推定し、推定された分光感度特性から入力色補正パラメータを作成し、この入力色補正パラメータを用いて、前記画像読取装置で読み取った原稿画像の画像信号を補正する色補正方法が開示されている。
【０００７】
さらに、特許文献３には、複数の異なる読取条件で読み取られた複数種類の画像信号を、設定した読取光量の差分から補正した場合に原稿読取手段の特性などによって生じる誤差を生じさせることなく、読取条件の違いに起因する画像信号（画像濃度データ）の違いを好適に吸収し、各読取条件における画像信号の信号レベルを一致させることができるように、原稿画像を複数種の光量的に異なる読取条件で光電的に読み取り、各読取条件で読み取られた画像信号から前記各読取条件毎に各々前記原稿画像の画像特性値を得、前記各読取条件において得られた前記画像特性値を用いて、前記各読取条件における前記画像信号の信号レベルの差分を吸収し、前記各読取条件における前記画像信号の信号レベルを一致させる画像読取方法が開示されている。
【特許文献１】特開２００４−１０４２３９号公報
【特許文献２】特開２０００−０５９６３７号公報
【特許文献３】特開２０００−２１６９９７号公報
【発明の開示】
【発明が解決しようとする課題】
【０００８】
ところで、上記図１に示した画像読み取り装置において、前記１ないし３の影響を排除するためには、それぞれ必要な補正を行えばよい。
【０００９】
しかし、読み取り部内部に色補正回路を有し、読み取り部を画像読み取り装置に組み込む前に色補正のための色補正パラメータを生成してから、読み取り部を画像読み取り装置に組み込む構成の画像読み取り装置では、色補正パラメータ生成時と画像読み取り装置に組み込んだ状態とで前記基準白板の濃度、及び読み取り部と基準白板の距離の違いによる影響によって色補正回路の入力側回路の出力レベルが異なることにより、正常な色補正が行えない。
【００１０】
また、前記特許文献１ないし３に記載された発明においても、前記色補正回路の入力側回路の出力レベルの補正に対応できてはいない。
【００１１】
本発明は、上記に鑑みてなされたものであって、色補正パラメータの生成時と画像読み取り装置に組み込んだ状態とで画像読み取り装置毎に読み取り部の出力レベルのばらつきがある場合でも正常な色補正を行うことができる画像読み取り装置、画像形成装置及び読み取り部の組み込み方法を提供することを目的とする。
【課題を解決するための手段】
【００１２】
上述した課題を解決し、目的を達成するために、本発明は、画像読み取り装置であって、原稿を読み取って画像データを出力する読み取り部と、前記読み取り部から出力された画像データの画像処理を行う画像処理部と、を備え、前記読み取り部は、前記原稿に照射光を照射し、前記照射光の前記原稿からの反射光を入射する光学部と、入射した前記反射光から読み取った画像信号のデジタルデータを生成する変換部と、前記デジタルデータの出力レベルを、色ごとの補正係数に基づいて調整する調整部と、前記画像読み取り装置毎に異なる値の色補正パラメータに基づいて、調整後の前記出力レベルのばらつきを補正する色補正処理を実行する色補正部と、を備え、前記補正係数は、前記読み取り部を前記画像読み取り装置に組み込む前に、前記色補正処理を実行しない状態で前記原稿を読み取った際の前記出力レベルが所定の値になるように生成された後、前記読み取り部を前記画像読み取り装置に組み込んだ時点で、前記色補正処理を実行しない状態で調整されたものであることを特徴とする。
【００１３】
また、本発明は、画像形成装置であって、原稿を読み取って画像データを出力する読み取り部と、前記読み取り部から出力された画像データの画像処理を行う画像処理部と、を備え、前記読み取り部は、前記原稿に照射光を照射し、前記照射光の前記原稿からの反射光を入射する光学部と、入射した前記反射光から読み取った画像信号のデジタルデータを生成する変換部と、前記デジタルデータの出力レベルを、色ごとの補正係数に基づいて調整する調整部と、前記画像形成装置毎に異なる値の色補正パラメータに基づいて、調整後の前記出力レベルのばらつきを補正する色補正処理を実行する色補正部と、を備え、前記補正係数は、前記読み取り部を前記画像形成装置に組み込む前に、前記色補正処理を実行しない状態で前記原稿を読み取った際の前記出力レベルが所定の値になるように生成された後、前記読み取り部を前記画像形成装置に組み込んだ時点で、前記色補正処理を実行しない状態で調整されたものであることを特徴とする。
【００１４】
また、本発明は、原稿に照射光を照射し、前記照射光の前記原稿からの反射光を入射し、入射した前記反射光から読み取った画像信号のデジタルデータを生成し、前記デジタルデータの出力レベルを、色ごとの補正係数に基づいて調整し、前記画像読み取り装置毎に異なる値の色補正パラメータに基づいて、調整後の前記出力レベルのばらつきを補正する色補正処理を実行する読み取り部を組み込む組み込み方法であって、前記読み取り部を前記画像読み取り装置に組み込む前に、前記色補正処理を実行しない状態で前記原稿を読み取った際の前記出力レベルが所定の値になるように前記補正係数を生成する第１生成工程と、前記色補正パラメータを前記画像読み取り装置ごとに生成する第２生成工程と、前記読み取り部を前記画像読み取り装置に組み込む組み込み工程と、前記読み取り部を前記画像読み取り装置に組み込んだ時点で、前記色補正処理を実行しない状態で前記補正係数を調整する調整工程と、を含むことを特徴とする。
【発明の効果】
【００１５】
本発明によれば、読み取り部を画像読み取り装置に組み込む際、画像読み取り装置毎に読み取り部の出力レベルのばらつきがある場合でも補正係数が調整されるので、正常な色補正が可能となるという効果を奏する。
【発明を実施するための最良の形態】
【００１６】
以下に添付図面を参照して、この発明にかかる画像読み取り装置、画像形成装置及び組み込み方法の最良な実施の形態を詳細に説明する。
【００１７】
（実施の形態１）
実施の形態１の画像読み取り装置の概念的構成は、図１に示した従来の概念的構成と同様であり、画像読み取り装置は、基準白板１０２と読み取り部１０３の間を原稿１０１が移動して画像を読み取るようになっている。図２は、本実施形態における画像読み取り装置の読み取り部１０３の構成の一例を示すブロック図である。図２において、読み取り部１０３は、光学部２０１，信号処理部２０２、シェーディング補正回路２０３、グレーバランス調整回路２０４、及び色補正回路２０５から構成されている。
【００１８】
光学部２０１は入射光を検出し、光電変換素子によりアナログ画像信号に変換する光電変換素子を備えている。変換されたアナログ画像信号は信号処理部２０２に入力される。
【００１９】
図３は、信号処理部２０３の構成を示すブロック図である。信号処理部２０２は、クランプ回路６０１と、サンプルホールド回路６０２と、プログラマブルゲインアンプ６０３と、ＡＤコンバータ６０４とを備えている。信号処理部２０２に入力されたアナログ画像信号は、クランプ回路６０１でＡＣ結合後のアナログ画像信号を信号処理部２０２内部基準電位にクランプする。クランプされたアナログ画像信号は、サンプルホールド回路６０２で信号処理部駆動信号の１つであるサンプルパルスによりサンプリングされてレベル保持される。このレベル保持によって連続的なアナログ画像信号にされた後、プログラマブルゲインアンプ６０３によって所定の増幅率に増幅され、ＡＤコンバータ６０４でデジタルデータに変換される。
【００２０】
デジタルデータはシェーディング補正回路２０３により光学部２０１における光電変換素子の各画素毎の感度むら、レンズ透過光量のばらつき、照明・光学系のむら及び劣化が補正される。具体的には基準白板１０２を実際の原稿読み取りに先だって照明し、その反射光を読み取り、各画素のシェーディング補正用の白レベル基準データとして取得する。取得した基準データをシェーディング補正データ（Ｄsh）とし、読み取られた読み取りデータ（Ｄin）を使用して出力データ（Ｄout）は、（１）式で示される。
Ｄout＝Ｄin／Ｄsh×（２n−１）  ・・・（１）
ここで、Ｄin：シェーディング前画像データ、Ｄsh：シェーデイングデータ、ｎ：ｂｉｔ数（例えば、ｎ＝１０）をそれぞれ示す。
【００２１】
グレーバランス調整回路２０４は、調整用原稿の出力が予め決められた値になるようにＲｅｄ、Ｇｒｅｅｎ、Ｂｌｕｅ別々に補正係数（Ｒｒｅｆ、Ｇｒｅｆ、Ｂｒｅｆ）を有し、この補正係数により出力データの値（出力レベル）を調整する。各画素のシェーディング補正用の白レベル基準データとして取得する場合には、色補正回路２０５の機能はＯＦＦに設定し、色補正処理を実行しない状態とする。
【００２２】
演算例としてシェーディング演算と併せて行う場合の演算式は、（２）〜（４）式のようになる。
Ｄout（Ｒ）＝Ｄin／Ｄsh×（２n−１）×（２n＋Ｒｒｅｆ）／２n）  ・・・（２）
Ｄout（Ｇ）＝Ｄin／Ｄsh×（２n−１）×（２n＋Ｇｒｅｆ）／２n）  ・・・（３）
Ｄout（Ｂ）＝Ｄin／Ｄsh×（２n−１）×（２n＋Ｂｒｅｆ）／２n）  ・・・（４）
【００２３】
すなわち、グレーバランス調整回路２０４は、（２）〜（４）式における下記の部分の演算を行うことになる。
「×（２n＋Ｒｒｅｆ）／２n」
「×（２n＋Ｇｒｅｆ）／２n」
「×（２n＋Ｂｒｅｆ）／２n」
【００２４】
また、補正係数（Ｒｒｅｆ、Ｇｒｅｆ、Ｂｒｅｆ）は、以下の（５）〜（７）式により、出力データＤout（Ｒ）、Ｄout（Ｇ）、Ｄout（Ｂ）のレベルが所定の値になるよう算出される。
【００２５】
Ｒｒｅｆ＝２n×Ｄout（Ｒ）の目標値）／Ｄout（Ｒ）の現在値−２n  ・・・（５）
Ｇｒｅｆ＝２n×Ｄout（Ｇ）の目標値）／Ｄout（Ｒ）の現在値−２n  ・・・（６）
Ｂｒｅｆ＝２n×Ｄout（Ｂ）の目標値）／Ｄout（Ｒ）の現在値−２n  ・・・（７）
【００２６】
（５）〜（７）式による補正係数の生成は、まず、読み取り部１０３を画像読み取り装置３０３に組み込む前の例えば工場出荷時などに、色補正回路２０５の色補正機能をＯＦＦにした状態で行われる。また、読み取り部１０３を画像読み取り装置３０１に組み込んだ時に、色補正回路２０５の色補正機能をＯＦＦにした状態で行われ、これにより、組み込み前の時点で生成された補正係数が調整されることになる。
【００２７】
色補正回路２０５は、光学部２０１の分光特性に起因する出力差を補正するために読み取り部１０３個別に色補正パラメータを有する。
【００２８】
図４は、このような読み取り部１０３が組み込まれる画像読み取り装置の構成の一例を示すブロック図である。同図において、画像読み取り装置３０１は、読み取り部１０３、スキャナ画像の一連の画像処理を行う画像処理部３０２、及び出力画像データの並び替え、電圧レベル変換等を行う出力部３０３を備えている。画像読み取り装置３０１からの画像データはプリンタ部３０４でプリント画像として出力され、画像読み取り装置３０１及び３０４によって画像形成装置、ここでは複写機が構成される。
【００２９】
例えば、読み取り部１０３と画像読み取り装置３０１が別の場所で製造される場合で、読み取り部１０３内部の色補正回路２０５の色補正パラメータが読み取り部１０３の製造時に生成される際の本発明の調整工程を下記に説明する。
【００３０】
読み取り部１０３での色補正パラメータ生成時の基準白板１０２の濃度読み取り部１０３と基準白板１０２の距離は、画像読み取り装置３０１に読み取り部１０３を組み込んだ際と異なる。前記距離が異なると、色補正回路２０５の入力段の出力データの値（出力レベル）も異なることになるため、色補正回路２０５の色補正機能をＯＦＦに設定し、調整用原稿である基準原稿を読み取った値が予め決められた値になるように、（５）〜（７）式によりグレーバランス調整回路２０４のＲｒｅｆ、Ｇｒｅｆ、Ｂｒｅｆの補正係数を画像読み取り装置３０１に読み取り部１０３を組み込んだ状態で再生成する。この際の基準原稿は、読み取り部１０３の組み込み前の時点で補正係数を生成した際に使用された調整用原稿と同一の原稿を用いることが好ましい。
【００３１】
このように本実施の形態では、グレーバランス調整回路２０４のＲｒｅｆ、Ｇｒｅｆ、Ｂｒｅｆの補正係数を画像読み取り装置３０１に読み取り部１０３を組み込んだ状態で再生成することにより、読み取り部１０３と画像読み取り装置３０１が別の場所で製造される場合でも色補正回路２０５に入力される前段のグレーバランス回路２０４からの出力データの値を同じにすることができる。
【００３２】
（実施の形態２）
図５は、実施の形態２の読み取り部５０３の構成を示すブロック図である。実施の形態２では、図２の読み取り部に対して、原稿の主走査方向の指定された位置範囲の平均値を求める平均位置制御回路７０１を、グレーバランス調整回路２０４に接続した構成となっている。平均位置制御回路７０１以外の構成は、実施の形態１と同様である。本実施の形態では、平均位置制御回路７０１に対して、原稿の主走査方向の指定された位置範囲の平均値を設定することによりグレーバランス調整回路２０４の基準原稿（調整用原稿）の平均値を算出する位置を指定する。これにより常に同じ主走査画素位置での平均値に基づいて補正係数を生成することが可能となる。
【００３３】
（実施の形態３）
実施の形態３の画像読み取り装置８０１は、読み取り部１０３の画像読み取り装置３０１への組み込み時の補正係数の調整、基準原稿（調整用原稿）の平均値を画像読み取り装置３０１自身で行うものである。
【００３４】
図６は、実施の形態３の画像読み取り装置の構成を示すブロック図である。本実施の形態の画像読み取り装置８０１は、図６に示すように、読み取り部１０３と、画像処理部３０２と、負荷８０１と、センサ群８２０と、操作部８００とを主に備えている。ここで、読み取り部１０３の構成は図２で示した実施の形態２と同様である。
【００３５】
画像処理部３０２は、画像読み取り装置３０１の制御を行う制御ブロック７００と読み取り部１０３により読み取られた画像データに対して画像処理を行う画像処理ブロック７５０とを主に備えている。
【００３６】
制御ブロック７００は、画像読み取り装置３０１全体の制御を行う制御部７１０と、操作部８００から操作者に指示された範囲のゲート信号を生成するゲート生成部７２０と、ゲート生成部７２０で生成された平均化ゲートの期間のみ読み取り部１０３により読み取られた画像データ（出力データ）Ｄout［９：０］を取り込むゲート制御部７３０とにより構成されている。
【００３７】
制御部７１０は、更に、種種の処理プログラムを実行するＣＰＵ７１１と、ＣＰＵ７１１で実行されるプログラムを格納するＲＯＭ７１２と、ＣＰＵ７１１でプログラムを実行する際に作業領域として使用されるＲＡＭ７１３と、操作部８００から入力されたデータの取得や操作部８００に対する表示データの送出を行う操作部インターフェース７１４と、画像読み取り装置３０１内のセンサ群８２０の検知結果を取得し、その検知結果に基づいて画像読み取り装置３０１内のモータ等の各種負荷８１０に対して制御指示を送信するＩ／Ｏ制御部７１５とを備えている。
【００３８】
ゲート生成部７２０は、読み取り部１０３から出力される出力データＤout［９：０］の平均化する部分を決定するための平均化ゲート信号の生成を行う。具体的には、例えば、位置のデフォルト値として１０００画素目、幅のデフォルト値として６４ドット、ライン数のデフォルト値として１６ラインが制御部７１０のＩ／Ｏ制御部７１５を介して設定されており、主走査方向の同期信号であるＬＳＹＮＣや、画像データに同期したクロックＣＬＫに基づいて平均化ゲートを生成する。図７は、画像データ、主走査同期信号ＬＳＹＮＣ、及び、平均化ゲートとの関係をタイムチャートである。
【００３９】
ゲート制御部７３０は、ゲート生成部７２０で生成された平均化ゲート信号で画像データＤout［９：０］のマスクを行い、平均化ゲート信号がＬｏｗレベルの期間だけ画像データＤout［９：０］を出力する。
【００４０】
ＣＰＵ７１１は、ゲート制御部７３０により、取り込まれた出力データＤout［９：０］の平均値を求め、その平均値が予め定められた所定の値になるように、各色に対する補正係数Ｒｒｅｆ、Ｇｒｅｆ、Ｂｒｅｆを（５）〜（７）式により決定し、Ｉ／Ｏ制御部７１５を介して読み取り部１０３内部のグレーバランス回路２０４に設定する。
【００４１】
なお、ゲート生成部７２０において、上述した位置、幅、ライン数のデフォルト値により平均化ゲート信号の生成を行っているが、利用者により、利用者が指定した値を用いるか否かを操作部８００の画面に表示し、当該画面から指定した値を用いる旨の入力があった場合には、さらにその指定値を利用者に操作部８００を介して入力させ、操作部８００から入力した指定値に基づいて平均ゲート信号を生成する。
【００４２】
次に、以上のように構成された実施の形態３の画像読み取り装置３０１の制御部７１０で実行される補正係数の調整処理について説明する、図８は、実施の形態３の補正係数の調整処理の手順を示すフローチャートである。
【００４３】
まず、制御部７１０は、利用者により操作部８００から補正係数の演算指示が入力されたされたか否かを判断する（ステップＳ１１）。そして、補正係数の演算指示が入力された場合には（ステップＳ１１：Ｙｅｓ）、制御部７１０は、操作部８００から利用者により、平均化処理のための位置、幅、ライン数の指定値を使用する旨の入力があったか否かを判断する（ステップＳ１２）。
【００４４】
そして、指定値を使用する旨の入力があった場合には（ステップＳ１２：Ｙｅｓ）、制御部７１０は、操作部８００から位置、幅、ライン数の指定値の入力を受け付ける（ステップＳ１３）。一方、指定値を使用する旨の入力がない場合には（ステップＳ１２：Ｎｏ）、予めデフォルト値として定められている位置、幅、ライン数をＲＯＭ７１２等から取得する（ステップＳ１４）。
【００４５】
そして、ゲート生成部７２０は、位置、幅、ライン数の指定値またはデフォルト値を用いて、平均化ゲート信号を生成する（ステップＳ１５）。そして、ゲート制御部７３０でが、生成された平均化ゲート信号により出力データＤout［９：０］のマスクを行って制御部７１０に出力し、制御部７１０のＣＰＵ７１１は入力された出力データＤout［９：０］の平均値を計算して取得する（ステップＳ１６）。
【００４６】
更に、ＣＰＵ７１１は、取得した出力データＤout［９：０］の平均値を用いて、（５）〜（７）式により各色の補正係数の演算を行う（ステップＳ１７）。そして、算出された補正係数を読み取り部１０３内部のグレーバランス回路２０４に設定し、ステップＳ１５、Ｓ１６と同様の手順により、制御部７１０のＣＰＵ７１１が出力データＤout［９：０］の平均値を再度取得する（ステップＳ１８）。
【００４７】
そして、出力データＤout［９：０］の平均値が目標値となるべき所定範囲内になっているかどうかを調べる（ステップＳ１９）。そして、平均値が所定範囲内にある場合には（ステップＳ１９：Ｙｅｓ）、処理を終了する。一方、平均値が所定範囲内にない場合には（ステップＳ１９：Ｎｏ）、ステップＳ１７、Ｓ１８の処理を繰り返し実行して、再度取得した出力データＤout［９：０］から補正係数を演算して、平均値が目標値となる所定範囲内に収まるまで、処理を続行する。
【００４８】
このように本実施の形態では、読み取り部１０３の画像読み取り装置３０１への組み込み時の補正係数の調整、基準原稿（調整用原稿）の平均値を画像読み取り装置３０１自身で行っているので、読み取り部１０３と画像読み取り装置３０１が別の場所で製造される場合でも、作業者の作業量を削減しつつ、色補正回路２０５に入力される前段のグレーバランス回路２０４からの出力データの値を同じにすることができる。これにより、画像読み取り装置に組み込む読み取り部が別の場所で製造される場合でも色補正パラメータを再生成する必要がなく、製造条件によらず常に安定した色補正が可能となる。
【００４９】
次に、実施の形態１〜３の画像読み取り装置における光学部２０１の詳細について説明する。
【００５０】
図９は、読み取り部１０３における光学部２０１の機械的構成の概略を示す模式図である。図９において、光学部２０１は、第１ミラー４０１、第２ミラー４０２、第３ミラー４０３、結像レンズ４０４、光電変換素子としてのＣＣＤ４０５、及び光源４０６からなる。第１ミラー４０１及び光源４０６は、第１走行体９０１に搭載され、第２ミラー４０２及び第３ミラー４０３は第２走行体９０３に搭載され、第１走行体９０１及び第２走行体９０３は、２対１の速度比で副走査方向（図９におけるＳＳ方向）に移動し、この移動過程で、コンタクトガラス９０２上の原稿１０１を読み取る。
【００５１】
すなわち、光源４０６を有する照明光学系により原稿１０１が照明されると、原稿１０１で反射された照明光は、第１ミラー４０１により反射偏向された後、第２ミラー４０２及び、第３ミラー４０３で順次反射偏向され、結像レンズ４０４に導かれ、該結像レンズ４０４によってＣＣＤ４０５の入射面上に縮小結合される。ＣＣＤ４０５は、入射面上の光学データを読み取り、光電変換されたアナログ信号を後段の信号処理部２０２に出力する。
【００５２】
図１０は読み取り部１０３における光学部２０１の他の機械的構成の概略を示す図である。図７において、光学部２０１は密着型イメージセンサ、所謂ＣＩＳ（Contact  Image  Sensor）５００からなる。ＣＩＳ５００は、ＳＬＡ（Selfoc Lens Array）（登録商標）５０１、センサＩＣ５０２、及び光源５０３ａ，５０３ｂから構成されている。このように構成した光学部２０１では、光源５０３ａ，５０３ｂを有する照明光学系により原稿１０１が照明される。原稿１０１で反射された照明光は、ＳＬＡ５０１により導かれ、ＳＬＡ５０１によってセンサＩＣ５０２の入射面上に縮小結合される。
【００５３】
なお、図９及び図１０の例において、原稿１０１と光学部２０１は相対的に副走査方向に移動すればよく、光学部２０１側が副走査方向に移動しても、原稿１０１側が副走査方向に移動してもよい。
【００５４】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【図面の簡単な説明】
【００５５】
【図１】画像読み取り装置の概念的な構成を示す説明図である。
【図２】実施の形態１の読み取り部の構成を示すブロック図である。
【図３】読み取り部における信号処理部の構成を示すブロック図である。
【図４】読み取り部が組み込まれる画像読み取り装置の構成の一例を示すブロック図である。
【図５】実施の形態２の読み取り部の構成を示すブロック図である。
【図６】実施の形態３の画像読み取り装置の構成を示すブロック図である。
【図７】画像データ、主走査同期信号ＬＳＹＮＣ、及び、平均化ゲートとの関係をタイムチャートである。
【図８】実施の形態３の補正係数の調整処理の手順を示すフローチャートである。
【図９】読み取り部における光学部の機械的構成の概略を示す図である。
【図１０】読み取り部における光学部の他の機械的構成の概略を示す図である。
【符号の説明】
【００５６】
１０１  原稿
１０２  基準白板
１０３  読み取り部
２０１  光学部
２０２  信号処理部
２０３  シェーディング補正回路
２０４  グレーバランス調整回路
２０５  色補正回路
３０１，８０１  画像読み取り装置
３０２  画像処理部
３０３  出力部
３０４  プリンタ
４０１，４０２，４０３  ミラー
４０４  穴像レンズ
４０５  ＣＣＤ
４０６  光源
５００  ＣＩＳ
５０１  ＳＬＡ
５０２  センサＩＣ
５０３ａ，５０３ｂ  光源
【図１】
2009010924.tif 000003
【図２】
2009010924.tif 000004
【図３】
2009010924.tif 000005
【図４】
2009010924.tif 000006
【図５】
2009010924.tif 000007
【図６】
2009010924.tif 000008
【図７】
2009010924.tif 000009
【図８】
2009010924.tif 000010
【図９】
2009010924.tif 000011
【図１０】
2009010924.tif 000012